(57)【要約】【課題】  レシーバとスピーカとを兼ねた圧電型電気音響変換装置において、薄型化することができるようにする。【解決手段】  リング状のフレーム１の下面には円形状の圧電フィルム２の上面外周部が接着剤３を介して接着されている。圧電フィルム２上には円形状の圧電セラミックス層６が設けられている。レシーバとして使用する場合には、圧電フィルム２のみを駆動させる。スピーカとして使用する場合には、圧電フィルム２および圧電セラミックス層６を同時に駆動させる。この場合、圧電フィルム２上に圧電セラミックス層６を設けているだけであるので、薄型化することができる。【選択図】図２
2013070344.tif 000002
【特許請求の範囲】
【請求項１】
圧電フィルムと、前記圧電フィルム上に設けられた圧電セラミックス層とを備え、レシーバとして使用する場合には前記圧電フィルムのみを駆動させ、スピーカとして使用する場合には前記圧電フィルムおよび前記圧電セラミックス層を同時に駆動させることを特徴とする圧電型電気音響変換装置。
【請求項２】
請求項１に記載の発明において、前記圧電フィルムは円形状であり、その外周部はリング状のフレームに取り付けられていることを特徴とする圧電型電気音響変換装置。
【請求項３】
請求項２に記載の発明において、前記圧電セラミックス層は前記圧電フィルムよりも小さい円形状であることを特徴とする圧電型電気音響変換装置。
【請求項４】
請求項３に記載の発明において、前記圧電セラミックス層の中心は前記圧電フィルムの中心と同じであることを特徴とする圧電型電気音響変換装置。
【請求項５】
請求項１または２に記載の発明において、前記圧電セラミックス層は前記圧電フィルム上の異なる位置に複数枚設けられていることを特徴とする圧電型電気音響変換装置。
【発明の詳細な説明】
【技術分野】
【０００１】
この発明は、レシーバとスピーカとを兼ねた圧電型電気音響変換装置に関する。
【背景技術】
【０００２】
従来のレシーバとスピーカとを兼ねた圧電型電気音響変換装置には、筐体内の中央部に圧電振動板を設け、圧電振動板の一面と対向する筐体に放音孔を設け、圧電振動板の他面と対向する筐体に制動孔および調整孔を設け、調整孔の近傍における筐体に電気信号により調整孔を開閉するための調整弁を設けたものがある（例えば、特許文献１参照）。
【先行技術文献】
【特許文献】
【０００３】
【特許文献１】特開２００６−３０４０２１号公報
【０００４】
上記従来の圧電型電気音響変換装置では、レシーバとして使用する場合には、調整孔を調整弁で閉じることにより、制動孔によるダンピング作用を得られる状態とし、この状態で圧電振動板が振動すると、放音孔から音圧レベルが比較的低い音が発せられ、レシーバとして使用される。一方、スピーカとして使用する場合には、調整孔を調整弁で閉じないことにより、制動孔によるダンピング作用を得ることができない状態とし、この状態で圧電振動板が振動すると、放音孔から音圧レベルが比較的高い音が発せられ、スピーカとして使用される。
【発明の概要】
【発明が解決しようとする課題】
【０００５】
しかしながら、上記従来の圧電型電気音響変換装置では、筐体内の中央部に圧電振動板を設けているので、装置が厚くなり、また機械的な調整弁を用いているので、部品点数が多くなり、さらに調整弁を電気的に制御する必要があるので、駆動回路が複雑になるという問題がある。
【０００６】
そこで、この発明は、薄型化することができ、また部品点数を少なくすることができ、さらに駆動回路を簡素化することができる圧電型電気音響変換装置を提供することを目的とする。
【課題を解決するための手段】
【０００７】
この発明に係る圧電型電気音響変換装置は、圧電フィルムと、前記圧電フィルム上に設けられた圧電セラミックス層とを備え、レシーバとして使用する場合には前記圧電フィルムのみを駆動させ、スピーカとして使用する場合には前記圧電フィルムおよび前記圧電セラミックス層を同時に駆動させることを特徴とするものである。
【発明の効果】
【０００８】
この発明によれば、薄型化することができ、また部品点数を少なくすることができ、さらに駆動回路を簡素化することができる。
【図面の簡単な説明】
【０００９】
【図１】この発明の一実施形態としての圧電型電気音響変換装置の平面図。
【図２】図１のII−II線に沿う断面図。
【図３】音圧特性を説明するために示す図。
【図４】この発明の他の実施形態としての圧電型電気音響変換装置の平面図。
【図５】この発明のさらに他の実施形態としての圧電型電気音響変換装置の平面図。
【発明を実施するための形態】
【００１０】
図１はこの発明の一実施形態としての圧電型電気音響変換装置の平面図を示し、図２は図１のII−II線に沿う断面図を示す。この圧電型電気音響変換装置はリング状のフレーム１を備えている。フレーム１の下面にはＰＶＤＦ（ポリフッ化ビニリデン）等からなる円形状の圧電フィルム２の上面外周部が接着剤３を介して接着されている。圧電フィルム２の上下面にはそれぞれ円形状の電極４、５が設けられている。
【００１１】
圧電フィルム２の上面に設けられた電極４の上面中央部にはＰＺＴ（チタン酸ジルコン塩酸）等からなる円形状の圧電セラミックス層６の下面に設けられた円形状の電極７が接着剤８を介して接着されている。圧電セラミックス層６の上面には円形状の電極９が設けられている。この場合、圧電セラミックス層６のサイズは圧電フィルム２のサイズよりも小さくなっている。また、圧電セラミックス層６の中心は圧電フィルム２の中心と同じとなっている。
【００１２】
この圧電型電気音響変換装置では、圧電フィルム２単体を駆動させた場合には、図３において一点鎖線で示すように、音圧レベルが比較的低い音圧特性が得られる。圧電セラミックス層６単体を駆動させた場合には、図３において点線で示すように、音圧レベルが一点鎖線で示す圧電フィルム２単体を駆動させた場合の音圧レベルよりも大体において高い音圧特性が得られる。圧電フィルム２および圧電セラミックス層６を同時に駆動させた場合には、図３において実線で示すように、音圧レベルが点線で示す圧電セラミックス層６単体を駆動させた場合の音圧レベルよりも高い音圧特性が得られる。
【００１３】
そこで、この圧電型電気音響変換装置をレシーバとして使用する場合には、圧電フィルム２のみを駆動させると、図３において一点鎖線で示すように、音圧レベルが比較的低いので、レシーバとして良好に使用することができる。一方、この圧電型電気音響変換装置をスピーカとして使用する場合には、圧電フィルム２および圧電セラミックス層６を同時に駆動させると、図３において実線で示すように、音圧レベルが点線で示す圧電セラミックス層６単体を駆動させた場合の音圧レベルよりも高いので、高効率のスピーカとして使用することができる。
【００１４】
ところで、この圧電型電気音響変換装置では、圧電フィルム２上に圧電セラミックス層６を設けているだけであるので、薄型化することができ、また調整弁のような部品を用いていないので、部品点数を少なくすることができ、さらに調整弁のようなものを電気的に制御する必要がないので、駆動回路を簡素化することができる。
【００１５】
なお、上記実施形態では、圧電セラミックス層６の形状を円形状とした場合について説明したが、これに限定されるものではない。例えば、図４の平面図に示すこの発明の他の実施形態のように、圧電セラミックス層６の形状を正方形状としてもよく、またその他の形状としてもよい。この場合、圧電セラミックス層６の上下面にそれぞれ設けられた電極９、７の形状を圧電セラミックス層６の形状と同一となるようにしてもよい。また、例えば、図５の平面図に示すこの発明のさらに他の実施形態のように、圧電フィルム２上の同一円周上において等間隔ずつ離間する位置（異なる位置）に円形状の圧電セラミックス層６を３枚（複数枚）設けるようにしてもよい。
【００１６】
以下、この発明の諸態様を付記としてまとめて記載する。
【００１７】
（付記１）
付記１の発明は、圧電フィルムと、前記圧電フィルム上に設けられた圧電セラミックス層とを備え、レシーバとして使用する場合には前記圧電フィルムのみを駆動させ、スピーカとして使用する場合には前記圧電フィルムおよび前記圧電セラミックス層を同時に駆動させることを特徴とする圧電型電気音響変換装置である。
【００１８】
（付記２）
付記２の発明は、前記圧電フィルムは円形状であり、その外周部はリング状のフレームに取り付けられていることを特徴とする圧電型電気音響変換装置である。
【００１９】
（付記３）
付記３の発明は、付記２に記載の発明において、前記圧電セラミックス層は前記圧電フィルムよりも小さい円形状であることを特徴とする圧電型電気音響変換装置である。
【００２０】
（付記４）
付記４の発明は、付記３に記載の発明において、前記圧電セラミックス層の中心は前記圧電フィルムの中心と同じであることを特徴とする圧電型電気音響変換装置である。
【００２１】
（付記５）
付記５の発明は、付記１または２に記載の発明において、前記圧電セラミックス層は前記圧電フィルム上の異なる位置に複数枚設けられていることを特徴とする圧電型電気音響変換装置である。
【符号の説明】
【００２２】
１  フレーム
２  圧電フィルム
６  圧電セラミックス層
【図１】
2013070344.tif 000003
【図２】
2013070344.tif 000004
【図３】
2013070344.tif 000005
【図４】
2013070344.tif 000006
【図５】
2013070344.tif 000007